(57)【要約】      （修正有）【課題】従来よりも少ない人手又は短い時間で設営、運搬等が可能なメリーゴーランドを提供する。【解決手段】メリーゴーランド１００は、円形状の中心から放射状に分割構造となる土台１と、円形状の中心から放射状に分割構造となり且つ土台に備えられたレール１４上を回転する回転ステージ２と、土台と回転ステージの間に配置された波形レールと、分割構造で且つ土台および回転ステージの中央に立設された支柱４と、中心から放射状に分割構造となり且つ支柱の上端に固定された天井５と、支柱の内部に収納された駆動装置と、回転ステージに設置され且つ波形レール上を上下に移動する乗物ガイド部材２３と、乗物ガイド部材に固定された乗物７とを備える。【選択図】図１
0003223628.tif 000002
【実用新案登録請求の範囲】
【請求項１】
上面に円環状のレールを有すると共に複数の土台構成部材で構成した分割構造の土台と、
当該土台の上に配置され前記レール上を回転すると共に複数のステージ構成部材で構成した分割構造の回転ステージと、
前記円環状のレールの中心を軸に前記回転ステージを回転させる駆動手段と、
前記回転ステージ上に設けた乗物と、
を有することを特徴とするメリーゴーランド。
【請求項２】
前記土台と前記回転ステージの間に配置され且つ上下方向に波打った波形レールと、
回転ステージに設けたガイド部材によりガイドされつつ上下する支柱を有し、支柱下端に前記波形レールの面上に転がるローラを有すると共に支柱に前記乗物を設けた追従機構と、
を備えたことを特徴とする請求項１に記載のメリーゴーランド。
【請求項３】
前記ガイド部材は、前記支柱が筒状体の内側に接触挿通される構造であることを特徴とする請求項２に記載のメリーゴーランド。
【請求項４】
前記土台構成部材は、互いに隣接する側の一方側に突出した支持片を有し、他方側に前記支持片が当接支持する被支持面を有することを特徴とする請求項１〜３のいずれか一つに記載のメリーゴーランド。
【考案の詳細な説明】
【技術分野】
【０００１】
本考案は、分割しての運搬が可能であり、公園、道路又は高層ビルの屋上等の、設営が困難な場所においても設営が可能なメリーゴーランドに関するものである。
【背景技術】
【０００２】
従来、メリーゴーランドを構成する部材はそれぞれが大きく、形状の異なるものが多い。また、ステージを回転させることと同時に、ステージ上に配置された乗物を、上下運動させる構成とすることが一般的である。
【考案の概要】
【考案が解決しようとする課題】
【０００３】
メリーゴーランドを構成する部品はそれぞれが大きく且つ形状の異なるものが多数必要になるため、その運搬、設営及び解体には多くの人手や時間を要するという問題点があった。また、馬や馬車等を模した乗物の上下運動には、一般的に吊下式クランク機構が採用されるため、乗物ごとに吊下支柱が必要となり、メリーゴーランドの外観が雑多な印象になってしまうばかりか、メリーゴーランドに乗車するユーザーからの景観も害されるおそれがあるという問題点があった。本考案は、係る問題点に鑑みてなされたものである。
【課題を解決するための手段】
【０００４】
上記問題点を解決するため、本考案に係るメリーゴーランドは、上面に円環状のレールを有すると共に複数の土台構成部材で構成した分割構造の土台と、当該土台の上に配置され前記レール上を回転すると共に複数のステージ構成部材で構成した分割構造の回転ステージと、前記円環状のレールの中心を軸に前記回転ステージを回転させる駆動手段と、前記回転ステージ上に設けた乗物と、を有することを特徴とする。
【０００５】
また、上記考案において、本考案に係るメリーゴーランドは、前記土台と前記回転ステージの間に配置され且つ上下方向に波打った波形レールと、回転ステージに設けたガイド部材によりガイドされつつ上下する支柱を有し、支柱下端に前記波形レールの面上に転がるローラを有すると共に支柱に前記乗物を設けた追従機構と、を備えたことを特徴とする。
【０００６】
また、上記考案において、本考案に係るメリーゴーランドは、前記ガイド部材は、筒状体により前記支柱が接触挿通される構造であることを特徴とする請求項２に記載のメリーゴーランド。
上下方向に配置したローラの組を筒状体の周方向に所定間隔で複数組を設け、対向するローラの組の間に前記支柱が接触挿通される構造であることを特徴とする。
【０００７】
また、上記考案において、本考案に係るメリーゴーランドは、前記土台構成部材は、互いに隣接する側の一方側に突出した支持片を有し、他方側に前記支持片が当接支持する被支持面を有することを特徴とする。
【図面の簡単な説明】
【０００８】
【図１】本考案に係るメリーゴーランドの全体構成図である。
【図２】本考案に係るメリーゴーランドの平面図である。
【図３】本考案に係るメリーゴーランドの内部構成図である。
【図４】本考案に係るメリーゴーランドの土台構成部材の構成図である。
【図５】本考案に係るメリーゴーランドのステージ構成部材の構成図である。
【図６】本考案に係るメリーゴーランドの乗物ガイド部材の正面図である。
【図７】本考案に係るメリーゴーランドの乗物ガイド部材の平面図である。
【図８】本考案に係るメリーゴーランドの土台、回転ステージ、波形レールおよび乗物ガイド部材の配置図である。
【図９】本考案に係るメリーゴーランドの駆動装置を示す要部拡大図である。
【考案を実施するための形態】
【０００９】
以下、本考案に係るメリーゴーランドの一実施例について、図面を参照しつつ詳細に説明する。図１は本考案に係るメリーゴーランドの全体構成図である。図２は、本考案に係るメリーゴーランドの平面図である。図３は、本考案に係るメリーゴーランドの内部構成図である。メリーゴーランド１００は、円形状の中心から放射状に分割構造となる土台１と、円形状の中心から放射状に分割構造となり且つ前記土台１に備えられたレール１４上を回転する回転ステージ２と、前記土台１と前記回転ステージ２の間に配置された波形レール３と、分割構造で且つ前記土台１および前記回転ステージ２の中央に立設された支柱４と、中心から放射状に分割構造となり且つ前記支柱４の上端に固定された天井５と、前記支柱４の内部に収納された駆動装置６と、前記回転ステージ２に設置され且つ前記波形レール３上を移動する乗物ガイド部材２３と、当該乗物ガイド部材２３に固定された乗物７とを備える。
【００１０】
図４は、本考案に係るメリーゴーランドの土台構成部材の構成図である。前記メリーゴーランド１００の最下部に配置される前記土台１は、後述する支柱４を中心として放射状に分割される。すなわち、前記土台１は、複数の土台構成部材１１から構成され、当該土台構成部材１１は、支柱４に固定される辺を短辺１１ａとし、メリーゴーランド１００の外周側の円弧状の辺を長辺１１ｂとする略扇状である。これら複数の土台構成部材１１が組み合わされることにより、土台１は全体として円形状となる。
【００１１】
また、隣接する土台構成部材１１同士は、上下方向に互い違いに支え合うよう配置される。詳細には、前記土台構成部材１１は、長辺１１ｂの一端にL字型の支持片１２を備え、他端に被支持面１３を備える。前記土台１が組み立てられる際、前記土台構成部材１１の支持片１２の上に、隣接する土台構成部材１１の被支持面１３が当接支持される。当該構成により、前記土台構成部材１１は、隣接する同士を互いに上下方向で支え合うことでしっかりとした安定を得る。
【００１２】
また、前記土台構成部材１１の天面には、後述する回転ステージ２を回転可能に支持するレール１４が備えられる。レール１４は複数の前記土台構成部材１１が組み立てられることで、土台１の天面に環状に構成される。これら複数の土台構成部材１１は、全て同一の形状で構成されることが望ましいが、例えば、前記長辺１１ｂの両端に支持片１２を備えた土台構成部材１１と、両端に被支持面１３を備えた土台構成部材１１との組み合わせにより、土台１が構成されてもよい。
【００１３】
図３は、本考案に係るメリーゴーランドのステージ構成部材の構成図である。前記土台１の上に配置される前記回転ステージ２は、後述する支柱４を中心として放射状に分割される。すなわち、前記回転ステージ２は、複数のステージ構成部材２１から構成され、当該ステージ構成部材２１は、支柱４に固定される辺を短辺２１ａとし、メリーゴーランド１００の外周側の円弧状の辺を長辺２１ｂとする略扇状である。これら略扇状の複数のステージ構成部材２１が組み合わされることにより、回転ステージ２は全体として円形状となる。
【００１４】
また、前記回転ステージ２は、後述する駆動装置６からの動力により支柱４を中心として、前記レール１４上を回転する。すなわち、前記ステージ構成部材２１の下部には、ステージ車輪２２が単数又は複数設けられる。当該ステージ車輪２２が前記レール１４上を移動することで、前記回転ステージ２がスムーズに回転する。
【００１５】
また、図４は、本考案に係るメリーゴーランドの乗物ガイド部材の正面図であり、図５は、その平面図である。図６は、本考案に係るメリーゴーランドの土台１、回転ステージ２、波形レール３および乗物ガイド部材２３の配置図である。前記ステージ構成部材２１の天面の中央近傍には乗物ガイド孔２１ｃが設けられ、当該乗物ガイド孔２１ｃに乗物ガイド部材２３が固定される。詳細には、当該乗物ガイド部材２３は、前記ステージ構成部材２１の天面の中央近傍であって前記乗物ガイド孔２１ｃを囲うよう立設固定された矩形筒状のガイド筒状体２３ａと、前記ガイド筒状体２３ａ及び前記ガイド孔２１ｃを挿通し且つ前記ガイド筒状体２３aにより上下方向に移動自在に支持された乗物支柱２３ｂと、当該乗物支柱２３ｂの下部に配置され後述する波形レール３上を移動する乗物ローラ２３ｃとから構成される。ここで、前記乗物支柱２３ｂは、前記ガイド筒状体２３ａの内側に接触挿通して配置される。
【００１６】
前記波形レール３は、前記土台１と前記回転ステージ２との間に配置される。前記波形レール３は、平面視においては円環状であり、正面視においては連続した波形を有する形状である。後述する駆動装置６からの動力により、前記回転ステージ２が回転することで、当該天面に固定された前記乗物ガイド部材２３が連動する。すなわち、前記回転ステージ２及び前記乗物ガイド部材２３が回転する際、前記波形レール３の上を前記乗物ローラ２３ｃが移動することにより、前記波形レール３の波の上下に連動して前記乗物支柱２３ｂが上下運動を繰り返す。詳細には、前記波形レール３の波の上側を前記乗物ローラ２３ｃが通過する際は、前記乗物支柱２３ｂが上昇し、前記波形レール３の波の下側を前記乗物ローラ２３ｃが通過する際は、前記乗物支柱２３ｂが下降する。当該乗物支柱２３ｂが上下方向に移動する際、前記ガイド筒状体２３ａの内側に接触挿通した当該乗物支柱２３ｂを当該ガイド筒状体２３ａが支持することで、当該乗物支柱２３ｂはスムーズ且つ制振性を保ちながら摺動可能となる。前記回転ステージ２の回転に連動して、後述する乗物７が、当該回転ステージと同方向に回転し且つ上下運動を繰り返す追従機構は、前記乗物ガイド部材２３および前記波形レール３により構成される。
【００１７】
前記メリーゴーランド１００の中心に配置される前記支柱４は、略多角柱または略円柱形状であり、複数の支柱部材４１から構成される。当該支柱部材４１は、前記支柱４が垂直方向に複数分割された板状であってもよいし、水平方向に複数分割された環状（図示省略）であってもよい。前記支柱４の下部には、前記土台１及び前記回転ステージ２が固定され、上部には後述する天井５が固定される。
【００１８】
前記メリーゴーランド１００の最上部に配置される前記天井５は、円形板状であり、前記支柱４を中心として放射状に分割された複数の天井部材５１から構成される。当該天井部材５１は、前記支柱４の上部にそれぞれ固定され、前記天井５を構成する。なお、前記メリーゴーランド１００は、後述する乗物７の上下運動に前記乗物ガイド部材２３を採用していることから、従来の吊下げ式クランク機構等に必要となる多くの部品を天井部に配置する必要が全くない。
【００１９】
図７は、本考案に係るメリーゴーランドの駆動装置６を示す要部拡大図である。前記支柱４の内部に配置される駆動装置６は、駆動モータ６１と、当該駆動モータ６１の回転軸に固定された歯車６２と、当該歯車６２と噛合し前記回転ステージ２側に固定された大歯車６３と、駆動モータ６１の回転を減速する減速機６４とから構成される。前記駆動モータ６１からの動力は、前記減速機６４で減速され歯車６２を介して回転ステージ２を回転させる。
【００２０】
前記乗物７は、馬や馬車等を模したものであり、前記乗物ガイド部材２３の前記乗物支柱２３ｂの上部に固定される。前述のとおり、前記回転ステージ２及び前記乗物ガイド部材２３が回転する際、前記波形レール３の上を前記乗物ローラ２３ｃが移動することにより、前記波形レール３の波の上下に連動して前記乗物支柱２３ｂが上下運動を繰り返す。これにより、当該乗物支柱２３ｂに固定された乗物７も上下運動を繰り返す。
【００２１】
前記メリーゴーランド１００によれば、設営者は、少ない人手や時間によってメリーゴーランドを設営することが可能となる。すなわち、前記メリーゴーランド１００を構成する土台１、回転ステージ２、支柱４及び天井５がそれぞれ分割可能であるため、設営者は、運搬の際、それぞれの部品を分割し重ねて運ぶことができるため、運搬スペースの削減が可能となる。また、設営の際には、それぞれの分割された部材が小さいため、少人数かつ短時間での設営が可能となる。
【００２２】
また、前記メリーゴーランド１００は、前記乗物ガイド部材２３および前記波形レール３を採用することで、回転ステージ２の回転運動と、乗物７の上下運動の両方を、一つのモータの動力によって駆動可能としている。そのため、前記メリーゴーランド１００を構成する部品の削減となり、上記と同様の効果を奏する。加えて、一般的にメリーゴーランドに採用されている吊下げ式クランク機構のように、乗物ごとに吊下げ支柱を設ける必要がないため、メリーゴーランドの外観が雑多な印象になることなく、また、メリーゴーランドに乗車するユーザーからの景観を害するおそれもなくなる。
【符号の説明】
【００２３】
１      土台
２      回転ステージ
３      波形レール
４      支柱
５      天井
６      駆動装置
７      乗物
１００  メリーゴーランド
【図１】
0003223628.tif 000003
【図２】
0003223628.tif 000004
【図３】
0003223628.tif 000005
【図４】
0003223628.tif 000006
【図５】
0003223628.tif 000007
【図６】
0003223628.tif 000008
【図７】
0003223628.tif 000009
【図８】
0003223628.tif 000010
【図９】
0003223628.tif 000011